(57)【要約】【課題】  極めて簡単かつ安価に製造することができ、足指を開いて清潔かつ健康に保つ使い捨てタイプの足指装着具を提供する。【解決手段】  本考案の足指装着具は、１本の紐状あるいは１枚の帯状部材の両端部を環状または筒状に形成してなる。筒状部または環状部を足の親指と小指に嵌め、帯状部または紐状部を残りの足指を縫うように延在させて装着し、各指間に足指装着具が介在するようにして、足指間を開いた状態に維持する。両端部の筒状部は、それぞれの太さおよび／または長さが異なるようにしてもよい。また、天然素材を用いた不織布で構成し、および／または、伸縮性を有する素材で構成する。【選択図】  図１
0003116612.tif 000002
【実用新案登録請求の範囲】
【請求項１】
１本の紐状あるいは１枚の帯状部材の両端部を環状または筒状に形成してなることを特徴とする足指装着具。
【請求項２】
請求項１に記載の足指装着具において、前記両端部が筒状であり、それぞれの太さおよび／または長さが異なることを特徴とする足指装着具。
【請求項３】
請求項１または２に記載の足指装着具において、天然素材を用いた不織布で構成され、および／または、伸縮性を有する素材で構成されていることを特徴とする足指装着具。
【請求項４】
請求項１乃至３のいずれかに記載の足指装着具において、前記帯状部材に通気性を確保するための孔が設けられていることを特徴とする足指装着具。
【請求項５】
一枚のシート状部材の両側部がほぼ平行する筒状部として形成された足指装着具作成シートであって、前記筒状部を横切る方向にカットすれば１枚の帯状部材の両端部が筒状に形成された足指装着具を得られることを特徴とする足指装着具作成シート。
【請求項６】
請求項７に記載の足指装着具作成シートであって、前記シート状部材両端の筒状部の太さが異なることを特徴とする足指装着具作成シート。
【請求項７】
請求項５または６に記載の足指装着具作成シートであって、天然素材を用いた不織布で構成され、および／または、伸縮性を有する素材で構成されていることを特徴とする足指装着具作成シート。
【請求項８】
請求項５乃至７のいずれかに記載の足指装着具作成シートにおいて、当該シートに通気性を確保するための複数の孔が設けられていることを特徴とする足指装着具作成シート。
【考案の詳細な説明】
【技術分野】
【０００１】
本考案は足指装着具に関し、特に、素足または履き物の種類に拘わらず足指を分けた状態にして清潔かつ健康に保つ足指装着具に関する。
【背景技術】
【０００２】
近年、ソックスを履いた状態でも足指を分けて清潔な状態に保つべく５本指ソックスが利用されている。また、足先に装着し、指を開いて水虫や臭気発生を防止する足先装着具がいくつか提案されている（例えば、特許文献１〜４）。これらの足先装着具は、リング状あるいは紐状の吸湿性布材を足指の外周に延在させ、足指が互いに密着しないように分離させる構成を有する。
【０００３】
【特許文献１】実用新案登録第３０２３９１９号公報
【特許文献２】特開平１１−１５２６０６号公報
【特許文献３】特開２０００−２４０２７号公報
【特許文献４】特開平１０−５２７２号公報
【考案の開示】
【考案が解決しようとする課題】
【０００４】
しかしながら、所謂５本指ソックスは、汗足・脂足・水虫等の改善に役立つもののファッション性に乏しく、また足指１本づつ着脱する必要があり着脱に面倒があった。また、足指部分の寸法が固定されるため、指の長さの個人差に対応させづらいものであった。さらに、５本指ソックスの加工は複雑で編み機を必要とするものであり、製品により品質にばらつきを生じやすかった。
【０００５】
また、上記特許文献記載の足先装着具も、足指に嵌める３本乃至５本の筒状部を有するものは着脱が比較的面倒なものであり、またリング状の紐材を用いたものは指の付け根部分に延在するだけであるため、指先部分が互いに密着することとなり衛生面や臭気抑制面に課題が残るものであった。
【０００６】
本考案はこのような問題に鑑みなされたものであり、手軽にいつでも着用することができ、極めて簡単かつ安価に製造することができる使い捨てタイプの足指装着具を提供することを目的とする。
【課題を解決するための手段】
【０００７】
本考案に係る足指装着具は、１本の紐状あるいは１枚の帯状部材の両端部を環状または筒状に形成してなることを最も主要な特徴とする。
【０００８】
前記両端部が筒状であり、それぞれの太さおよび／または長さが異なることが有効である。
【０００９】
この足指装着具において、天然素材を用いた不織布で構成され、および／または、伸縮性を有する素材で構成されていることが有効である。
【００１０】
前記帯状部材に通気性を確保するための孔が設けられていることが有効である。
【００１１】
また、本考案は、一枚のシート状部材の両側部がほぼ平行する筒状部として形成された足指装着具作成シートであって、前記筒状部を横切る方向にカットすれば１枚の帯状部材の両端部が筒状に形成された足指装着具を得られることを特徴とする足指装着具作成シートに関する。
【００１２】
この足指装着具作成シートでも、前記シート状部材両端の筒状部の太さが異なることが有効である。また、天然素材を用いた不織布で構成され、および／または、伸縮性を有する素材で構成されていることが有効である。また、当該シートに通気性を確保するための複数の孔が設けられていることが有効である。
【考案の効果】
【００１３】
本考案にかかる足指装着具は、両端部に形成された筒状部（または環状部）を足の親指と小指に嵌め、この筒状部（または環状部）の間に介在する帯状部（または紐状部）を、人差し指、中指、薬指を縫うように交互に上下に延在させる。これにより、５本指すべての指間が本考案の足指装着具により隔てられた状態となり、足指が互いに密着して水虫や臭気が発生するのを好適に防止することができる。また足指間に装着具を介在させることにより足指間が開き、血行が促進され、むくみや冷え性、外反母趾の予防となり、さらに足指と靴との緩衝材として靴擦れや痛みの症状を緩和することができる。また、両端部を筒状または環状に構成しているため、足指の長さの個人差に拘わらず着用することができる。
【００１４】
また、足指装着具の両端部の太さおよび／または長さを変えることにより、例えば一方の筒状部を親指用として長く太く構成し、他方を小指用として短く細く構成し、装着時に足に適切にフィットさせることができる。これにより、足指装着具の着脱が容易になるとともに、不用意に脱げてしまわなくなる。また、足指装着具を天然素材を用いた不織布で構成すると、肌触りや吸湿性がよく、夏は爽やかに、冬は暖かく、足先の状態を快適に保つことができる。また、吸湿性・保湿性がよいため、例えば湿布薬や皮膚疾患用の治療薬等を塗布する使い切りタイプといった使用が可能となる。また、装着具を構成する帯状部材に複数の細かい通気孔を設けることにより、通気性を確保して足先の湿気を好適に逃がすことができる。
【００１５】
また、本考案にかかる足指装着具作成シートは、一枚のシート状部材の両側がほぼ平行する筒状部として形成されており、この状態で利用者に提供され、利用者側で筒状部を横切る方向にカットして使用するものである。このように利用者がカットして使用する構成とすると、利用者が足指の長さや好みに応じた寸法にカットして使用できるとともに、製造や包装のコストを下げて利用者に提供することができ、使い捨てタイプとして好適な足指装着具を実現することができる。この場合にも、両側の筒状部をそれぞれ親指用と小指用に太さを変えることにより、装着時に足先にフィットさせることができる。また、天然素材を用いた伸縮性を有する不織布で構成すると、肌触りがよく、吸湿性やフィット性に富んだ足指装着具を実現することができる。さらに、シートに複数の通気孔を設けることにより通気性に富んだ足指装着具となる。
【考案を実施するための最良の形態】
【００１６】
本考案を実施するための最良の形態を、添付の図面を参照しながら以下に詳細に説明する。
【実施例１】
【００１７】
図１は、本考案の第１実施例にかかる足指装着具の構成を示す斜視図である。本図に示すように、足指装着具１は、１枚の帯状部材の両端部に筒状部１２，１３を形成して構成されている。この装着具１は、例えば綿や毛、セルロースの短繊維などの天然素材やスチレン系やウレタン系のエラストマーなどの伸縮性素材をメルトブロー技術で伸縮性不織布とした布材で構成されており、筒状部１２，１３はこの布材の両端部を折り返して縫製または熱圧着して形成される。足指装着具１を構成する布材は特に限定するものではなく、公知の素材を用いることができるが、伸縮性および吸湿性を有する布材を用いるのが好ましい。
【００１８】
両端部に形成された２つの筒状部１２のうち一方は小指用であり短く細く構成され、他方の筒状部１３は親指用であり太く長く構成されている。小指用の筒状部１２は、例えば太さ１−１．５ｃｍ、長さ１−１．５ｃｍ程度に構成され、親指用の筒状部１３は、例えば太さ２−３ｃｍ、長さ１．５−２．５ｃｍ程度に構成される。これらを連結する帯状部１１は長さ５−１０ｃｍ程度に構成され、その幅は均一であってもよいし、図１に示すように筒状部１２，１３の長さの違いに対応させてテーパ形をなすようにしてもよい。これらの寸法は利用者の性別や足の大きさ、足指の長さを考慮して適宜決定されるものとし、例えばＳ，Ｍ，Ｌなど数種類のサイズのものを提供するようにしてもよい。
【００１９】
図２は、足指装着具１を実際に足先に装着した例を示す図であり、図２（ａ）が足の表側、図２（ｂ）が足の裏側を示す。本図に示すように、足指装着具１は、親指用の筒状部１３を親指に嵌め、小指用の筒状部１２を小指に嵌め、筒状体間の帯状部１１を人差し指、中指、薬指を縫うように交互に上下に延在させる。より具体的には、例えば帯状部１１全体を足裏側に配置してから筒状体１２，１３を親指と小指に嵌め、その後中指の下の帯状部１１を手で摘んで中指の上側に延在させることにより装着することができる。これにより、各指の間に足指装着具１が介在することになり、足指が互いに密着することがなく、この部分が蒸れたり臭気が発生するのが防止される。足が蒸れないため水虫の治療や予防にも効果があり、さらに足指が開くため外反母趾の治療や予防にも有効である。また、足指装着具１は簡単な構成で安価に製造することができるため、使い捨てタイプとして常に清潔な足指装着具１を使用することができる。さらに、水虫その他の皮膚疾患用の治療薬等を塗布し、使い捨てるといった使用方法も可能となる。
【００２０】
本考案の足指装着具１は、白色であってもよいし、適宜の色に着色されていてもよい。また、任意の柄など模様が入っていてもよい。利用者層に合わせて模様や着色を施すようにすると商品価値を向上させることができる。また、装着具１の一部あるいは全部に微細な貫通孔を設け、通気性を確保するようにしてもよい。また、本考案の足指装着具は素足に着用してそのまま靴やサンダル・ミュールなどを履くようにしてもよいし、足指装着具を装着した上から靴下やストッキングを着用してもよい。このようにすると、従来のソックスの外観を変えることなく、５本指ソックスと同様の効果を得ることができる。さらに、足指装着具１を構成する布材に制菌消臭効果のある加工を施してもよい。また、素材の厚さは、装着時に足指間を大きく拡げたい場合には厚くしたり、上から靴下を履く場合には比較的薄くしたり、目的や実施環境に応じて適宜決定することができる。
【００２１】
なお、足指装着具１は天然素材に限らず、様々な人工繊維を用いてもよい。また、伸縮性はあった方が望ましいが必ずしも必須の要素ではない。また、伸縮性素材を用いる場合は親指用と小指用の筒状部の太さを変えなくてもよく、筒状部の長さも親指用と小指用で変えなくてもよい。さらに、図２に示す装着方法では、帯状部材１１を人差し指と薬指の下側に、中指の上側に延在させているが、これをまったく逆に、人差し指と薬指の上側に、中指の下側に延在させるようにしてもよい。
【実施例２】
【００２２】
図３は、本考案にかかる第２実施例の構成を示す図である。図３に示すように、本考案の足指装着具２は、１本の紐状部材２１の両端部に親指用と小指用の環状部２２，２３を形成してなる構成であってもよい。この紐状部材２１は例えば伸縮性に富むウレタン繊維を芯材とし、天然あるいは人工繊維を編んで太さ３−５ｍｍ程度の紐としたものであり、伸縮性および吸湿性を有し肌触りがよい公知の紐材を利用することができる。このように構成した足指装着具２も、図２で説明した手順と同様に装着して、各指間に装着具２が介在するようにする。装着具２により各指間が開き、足先が清潔に保たれるとともに臭気発生などが防止される。
【実施例３】
【００２３】
図４は、本考案にかかる第３実施例の構成を示す図である。図４（ａ）に示すように、本実施例の足指装着具３は、図１に示す装着具１とほぼ同様であるが、両端の筒状体３２，３３を連結する帯状部３１の長さが約３−６ｃｍ程度と比較的短く構成されている。この足指装着具３は、図４（ｂ）および図４（ｃ）に示すように、足指の５本ではなく４本あるいは３本にまたがらせ装着するものである。すなわち、図４（ｂ）の例では、筒状部３２，３３をそれぞれ人差し指と小指に装着し、間の中指と薬指を縫うように帯状部３１を延在させる。また、図４（ｃ）の例では、筒状部３２，３３をそれぞれ人差し指と薬指に装着し、中指の上側または下側に帯状部３１を延在させる。このようにしても、足指装着具３の両端部が指の全周を覆う筒状に構成されているため、各指の間に足指装着具３が介在することとなり、各指間が開いて互いに密着するのが防止される。なお、図４（ｂ）の例では、人差し指から小指までの４本を対象に足指装着具３を介在させているが、これは親指から薬指までの４本を対象としてもよい。
【実施例４】
【００２４】
図５は、本考案にかかる第４実施例の構成を示す図である。本図は足指装着具作成シートであり、この形態で利用者に供給され、利用者が自らカットして使用できるようにしたものである。図５（ａ）に示すように、作成シート４は、１枚の長方形のシート状部材４１の相対向する端縁を折り返して縫製または熱圧着／融着させることにより両端部にそれぞれ筒状部４２，４３を形成してなる。この足指装着具作成シート４は、図５（ｂ）に示すように、筒状部４２，４３を横切る方向に切断することにより、図１または図４に示す足指装着具を得ることができる。図５（ｂ）に示す例では、シート４の切断方向を一つおきに、筒状部４２，４３に直交する方向と、これに対して若干斜めとなる方向とに変化させている。これにより、図に示すように、左右の筒状部の長さを変えた足指装着具を得ることができる。すなわち、長めの筒状部を足の親指に装着し、短めの筒状部を小指に装着して使用することができる。本実施例においても、足指装着具作成シート４の材質や寸法は、上述したいずれかの実施例と同様に、様々な好適なものを適用することができる。
【００２５】
本実施例は、利用者が自ら選択した適宜の位置で切断する利用形態であるため、各利用者の指の長さに合わせた足指装着具を得ることができ、利用者毎のサイズに拘わらず汎用性をもたせることができる。また、製造段階での加工性が少ないため安価に供給することができ、使い捨てタイプに適した販売形態が可能となる。なお、図５に示す実施例では１つの足指装着具作成シート４を４つの足指装着具に分割して使用できるようにしているが、これはシート４の長さを変更して３つ以下や５つ以上としてもよい。また、シート４の両端部に形成される筒状部の太さを変えて、例えば親指用と小指用に分けてもよい。
【産業上の利用可能性】
【００２６】
本考案は、靴下やストッキングなどの製造業、繊維業や、水虫等の皮膚疾患治療に用いる医療品製造業などに利用することができる。
【図面の簡単な説明】
【００２７】
【図１】第１実施例の足指装着具１の構成を示す図である。。
【図２】第１実施例の足指装着具１の着用状態を示す図である。
【図３】第２実施例の足指装着具２の構成を示す図である。
【図４】第３実施例の足指装着具３の構成および着用状態を示す図である。
【図５】第４実施例の足指装着具作成シート４の構成を示す図である。
【符号の説明】
【００２８】
１−３      足指装着具
４          足指装着具作成シート
１１，２１，３１，４１    帯状部
１２，１３，２２，２３，３２，３３，４２，４３    筒状部
【図１】
0003116612.tif 000003
【図２】
0003116612.tif 000004
【図３】
0003116612.tif 000005
【図４】
0003116612.tif 000006
【図５】
0003116612.tif 000007
【手続補正書】
【提出日】平成17年9月14日(2005.9.14)
【手続補正１】
【補正対象書類名】実用新案登録請求の範囲
【補正対象項目名】請求項６
【補正方法】変更
【補正の内容】
【請求項６】
請求項５に記載の足指装着具作成シートであって、前記シート状部材両端の筒状部の太さが異なることを特徴とする足指装着具作成シート。